(57)【要約】【課題】用紙に形成される画像の光沢を、頁内で一定にする画像形成装置を提供する。【解決手段】画像形成装置１Ａは、用紙Ｐに形成したテストチャートをラインセンサ１４で読み取って、定着後の画像の頁内での光沢分布を測定する。画像の頁内での光沢分布に応じて、空気吹出部１３から吹き出される空気の風量と温度のいずれか、または、空気の風量と温度の両方を制御して、定着後の画像の光沢が、頁内で均一となるようにする。【選択図】図１
2015060098.tif 000002
【特許請求の範囲】
【請求項１】
用紙に画像を形成する画像形成手段と、
前記画像形成手段で形成された画像を用紙に定着させる定着手段と、
前記定着手段で画像が定着された用紙を、前記定着手段から分離する空気を吹き付ける分離手段と、
用紙に形成された画像を読み取り、画像の光沢度情報を取得する読取手段と、
前記読取手段で取得した光沢度情報に対して、前記分離手段から吹き出される空気の風量あるいは温度の何れか、または風量と温度の両方が、頁内での光沢の分布の差異が抑制される値に設定された設定情報に基づき、前記分離手段から吹き出される空気の風量あるいは温度の何れか、または風量と温度の両方を設定する制御手段と
を備えたことを特徴とする画像形成装置。
【請求項２】
光沢の差異が発生する方向に応じた光沢測定画像が選択されて用紙に形成される
ことを特徴とする請求項１に記載の画像形成装置。
【請求項３】
用紙の通紙方向に沿って前記光沢測定画像が形成され、前記光沢測定画像を読み取って取得した光沢度情報に対して、前記設定情報に基づき、前記分離手段から吹き出される空気の風量あるいは温度の何れか、または風量と温度の両方が、用紙の通紙方向に沿って設定される
ことを特徴とする請求項２に記載の画像形成装置。
【請求項４】
用紙の通紙方向に直交する軸方向に沿って前記光沢測定画像が形成され、前記光沢測定画像を読み取って取得した光沢度情報に対して、前記設定情報に基づき、前記分離手段から吹き出される空気の風量あるいは温度の何れか、または風量と温度の両方が、用紙の軸方向に沿って設定される
ことを特徴とする請求項２に記載の画像形成装置。
【請求項５】
前記設定情報が、用紙の種別に応じて設定される
ことを特徴とする請求項１〜請求項４の何れか１項に記載の画像形成装置。
【請求項６】
前記設定情報が、設置される環境に応じて設定される
ことを特徴とする請求項１〜請求項５の何れか１項に記載の画像形成装置。
【請求項７】
用紙に熱を供給する光沢制御手段を備え、
前記制御手段は、前記読取手段で取得した光沢度情報に対して、前記光沢制御手段で用紙に供給される熱の温度が、頁内での光沢の分布の差異が抑制される値に設定された設定情報に基づき、前記光沢制御手段で用紙に供給される熱の温度を設定する
ことを特徴とする請求項１〜請求項６の何れか１項に記載の画像形成装置。
【請求項８】
用紙に光沢を測定する光沢測定画像を形成し、光沢測定画像を読み取って取得した頁内での光沢の分布に応じた光沢度検出情報に対して、定着手段で画像が定着された用紙に吹き付けられて、用紙を定着手段から分離する空気の風量あるいは温度の何れか、または風量と温度の両方が、頁内での光沢の分布の差異が抑制される値に設定された設定情報に基づき、用紙に吹き出される空気の風量あるいは温度の何れか、または風量と温度の両方を設定して、光沢調整動作を実行する
ことを特徴とするプログラム。
【発明の詳細な説明】
【技術分野】
【０００１】
本発明は、用紙に画像を形成する画像形成装置及び画像形成装置で所定の動作を実行させるプログラムに関し、特に、用紙に形成される画像の光沢を、頁内で一定にする画像形成装置及びプログラムに関する。
【背景技術】
【０００２】
用紙にトナー像を転写して画像を形成する画像形成装置では、対向するローラ等の間に用紙を通過させ、熱及び圧力でトナー像を用紙に定着させる機構が備えられている。このような定着部では、用紙がローラ間を通過するときにローラに巻き付く傾向がある。
【０００３】
そこで、定着部を通過する用紙に空気を吹き付けて分離する技術が提案されている（例えば、特許文献１参照）。
【０００４】
定着部を通過する用紙に空気を吹き付けて分離する構成では、定着部にも空気が吹き付けられることから、用紙に熱を与える部材の温度が低下する可能性がある。そこで、用紙に形成された画像濃度に応じて、空気の吹き出しの有無を切り替える技術が提案されている（例えば、特許文献２参照）。
【先行技術文献】
【特許文献】
【０００５】
【特許文献１】特開２００５−２５８０３５号公報
【特許文献２】特開２００８−３２７７号公報
【発明の概要】
【発明が解決しようとする課題】
【０００６】
定着部を通過する用紙に空気を吹き付けて分離する構成では、分離爪等、用紙に接触する部材を使用することなく、定着部からの用紙の分離が促進される。一方、用紙に吹き付けられる空気の風量あるいは温度の変動等によって、１枚の用紙内で部分的に温度が低下することがある。定着の工程で用紙内での温度にばらつきが生じると、定着後の画像の光沢が、頁内で均一にならない可能性があった。
【０００７】
本発明は、このような課題を解決するためなされたもので、用紙に形成される画像の光沢を、頁内で一定にする画像形成装置及びプログラムを提供することを目的とする。
【課題を解決するための手段】
【０００８】
上述した課題を解決するため、請求項１に記載の発明は、用紙に画像を形成する画像形成手段と、画像形成手段で形成された画像を用紙に定着させる定着手段と、定着手段で画像が定着された用紙を、定着手段から分離する空気を吹き付ける分離手段と、用紙に形成された画像を読み取り、画像の光沢度情報を取得する読取手段と、読取手段で取得した光沢度情報に対して、分離手段から吹き出される空気の風量あるいは温度の何れか、または風量と温度の両方が、頁内での光沢の分布の差異が抑制される値に設定された設定情報に基づき、分離手段から吹き出される空気の風量あるいは温度の何れか、または風量と温度の両方を設定する制御手段とを備えた画像形成装置である。
【０００９】
請求項２に記載の発明は、光沢の差異が発生する方向に応じた光沢測定画像が選択されて用紙に形成される請求項１に記載の画像形成装置である。
【００１０】
請求項３に記載の発明は、用紙の通紙方向に沿って光沢測定画像が形成され、光沢測定画像を読み取って取得した光沢度情報に対して、設定情報に基づき、分離手段から吹き出される空気の風量あるいは温度の何れか、または風量と温度の両方が、用紙の通紙方向に沿って設定される請求項２に記載の画像形成装置である。
【００１１】
請求項４に記載の発明は、用紙の通紙方向に直交する軸方向に沿って光沢測定画像が形成され、光沢測定画像を読み取って取得した光沢度情報に対して、設定情報に基づき、分離手段から吹き出される空気の風量あるいは温度の何れか、または風量と温度の両方が、用紙の軸方向に沿って設定される請求項２に記載の画像形成装置である。
【００１２】
請求項５に記載の発明は、設定情報が、用紙の種別に応じて設定される請求項１〜請求項４の何れか１項に記載の画像形成装置である。
【００１３】
請求項６に記載の発明は、設定情報が、設置される環境に応じて設定される請求項１〜請求項５の何れか１項に記載の画像形成装置である。
【００１４】
請求項７に記載の発明は、用紙に熱を供給する光沢制御手段を備え、制御手段は、読取手段で取得した光沢度情報に対して、光沢制御手段で用紙に供給される熱の温度が、頁内での光沢の分布の差異が抑制される値に設定された設定情報に基づき、光沢制御手段で用紙に供給される熱の温度を設定する請求項１〜請求項６の何れか１項に記載の画像形成装置である。
【００１５】
請求項８に記載の発明は、用紙に光沢を測定する光沢測定画像を形成し、光沢測定画像を読み取って取得した頁内での光沢の分布に応じた光沢度検出情報に対して、定着手段で画像が定着された用紙に吹き付けられて、用紙を定着手段から分離する空気の風量あるいは温度の何れか、または風量と温度の両方が、頁内での光沢の分布の差異が抑制される値に設定された設定情報に基づき、用紙に吹き出される空気の風量あるいは温度の何れか、または風量と温度の両方を設定して、光沢調整動作を実行するプログラムである。
【発明の効果】
【００１６】
本発明では、用紙に形成された画像を読み取ることで取得した光沢度情報に基づき、頁内での光沢の分布の差異を抑制して光沢が均一になるように、吹き付けられる空気の風量または温度のいずれか、あるいは風量と温度の両方が設定されるので、頁内での光沢にムラが生じることを抑制できる。
【図面の簡単な説明】
【００１７】
【図１】本実施の形態の画像形成装置の要部構成を示す平面図である。
【図２】本実施の形態の画像形成装置の内部構成の一例を示す側面図である。
【図３】本実施の形態の画像形成装置の制御機能の一例を示す機能ブロック図である。
【図４】風量・温度と光沢の特性を示す説明図である。
【図５】光沢分布−風量・温度テーブルの一例を示す説明図である。
【図６】本実施の形態の画像形成装置における光沢調整動作の一例を示すフローチャートである。
【図７】光沢調整動作の第１例を示す動作図である。
【図８】光沢調整動作の第１例での光沢度検出情報の一例を示す説明図である。
【図９】光沢調整動作の第１例での風量制御の一例を示す説明図である。
【図１０】光沢調整動作の第２例を示す動作図である。
【図１１】光沢調整動作の第２例での光沢度検出情報の一例を示す説明図である。
【図１２】光沢調整動作の第２例での風量制御の一例を示す説明図である。
【図１３】光沢分布−風量・温度テーブルの変形例を示す説明図である。
【図１４】本実施の形態の画像形成装置の変形例を示す要部構成図である。
【発明を実施するための形態】
【００１８】
以下、図面を参照して、本発明の画像形成装置の実施の形態について説明する。
【００１９】
＜本実施の形態の画像形成装置の構成例＞
図１は、本実施の形態の画像形成装置の要部構成を示す平面図、図２は、本実施の形態の画像形成装置の内部構成の一例を示す側面図である。
【００２０】
本実施の形態の画像形成装置１Ａの概要について説明すると、画像形成装置１Ａは、用紙Ｐにトナー像を転写して画像を形成する画像形成部１１と、画像形成部１１で用紙Ｐに転写されたトナー像を定着させる定着部１２を備える。また、画像形成装置１Ａは、定着部１２を通過する用紙Ｐに空気Ａを吹き付けて、用紙Ｐを定着部１２から分離させる空気吹出部１３を備える。
【００２１】
画像形成装置１Ａでは、空気吹出部１３から吹き出された空気Ａが用紙Ｐに吹き付けられることで、定着部１２からの用紙Ｐの分離が促進される。一方、用紙Ｐに吹き付けられる空気Ａの風量あるいは温度の変動等によって、定着後の画像の光沢が、頁内で均一にならない可能性がある。
【００２２】
そこで、画像形成装置１Ａは、画像調整動作で用紙Ｐに形成した画像をラインセンサ１４で読み取って、定着後の画像の頁内での光沢分布を測定する。本例では、光沢測定画像として所定のテストチャートＴＣを用紙Ｐに形成して、光沢分布を測定する。そして、画像形成装置１Ａは、画像の頁内での光沢分布に応じて、空気吹出部１３から吹き出される空気Ａの風量と温度のいずれか、または、空気Ａの風量と温度の両方を制御して、定着後の画像の光沢が、頁内で均一となるようにする。
【００２３】
以下に、本実施の形態の画像形成装置１Ａの全体構成の詳細について説明すると、画像形成装置１Ａは、本例ではデジタルカラー複写機と称される装置で、上述した画像形成部１１と、定着部１２と、空気吹出部１３と、ラインセンサ１４を装置本体１０に備える。
【００２４】
また、画像形成装置１Ａは、画像が形成される用紙Ｐが収納される給紙部１５と、用紙Ｐが搬送される搬送部１６を装置本体１０に備える。更に、画像形成装置１Ａは、原稿から画像を読み取る画像読取部１７を装置本体１０に備える。なお、画像形成装置１Ａは、原稿を給紙する自動原稿搬送装置１８が、装置本体１０の上部に備えられる構成でも良い。
【００２５】
画像形成部１１は画像形成手段の一例で、光を走査するヘッドユニット１１ａと、色分解画像に応じたトナー像が形成される４組の感光体ドラム１１Ｙ，１１Ｍ，１１Ｃ，１１ＢＫと、各感光体ドラム１１Ｙ，１１Ｍ，１１Ｃ，１１ＢＫに形成されたトナー像を用紙Ｐに転写する中間転写ベルト１１ｂを備える。
【００２６】
ヘッドユニット１１ａは、各感光体ドラム１１Ｙ，１１Ｍ，１１Ｃ，１１ＢＫに対応して、光（レーザ光）を出射する図示しないレーザユニットと、レーザユニットから出射された光を走査するポリゴンミラー等を有した光学系を備える。
【００２７】
感光体ドラム１１Ｙ，１１Ｍ，１１Ｃ，１１ＢＫと、中間転写ベルト１１ｂが掛けられたローラは、搬送部１６で搬送される用紙Ｐの搬送方向に対して直交する回転軸を有する。中間転写ベルト１１ｂは、感光体ドラム１１Ｙ，１１Ｍ，１１Ｃ，１１ＢＫと対向して一次転写部１１ｃが形成されると共に、搬送部１６で搬送される用紙Ｐと対向して二次転写部１１ｄが形成される。
【００２８】
画像形成部１１は、ヘッドユニット１１ａから出射される光が、各感光体ドラム１１Ｙ，１１Ｍ，１１Ｃ，１１ＢＫの回転軸に沿った主走査方向に走査される。また、画像形成部１１は、ヘッドユニット１１ａでの光の走査に連動した各感光体ドラム１１Ｙ，１１Ｍ，１１Ｃ，１１ＢＫの回転によって、副走査方向に光が走査される。
【００２９】
これにより、画像形成部１１は、色分解された画像信号に基づきヘッドユニット１１ａから出射されて走査される光により、各感光体ドラム１１Ｙ，１１Ｍ，１１Ｃ，１１ＢＫの円周面が露光され、静電潜像として画像が書き込まれる。上述した画像形成プロセスは、イエロー（Ｙ）、マゼンタ（Ｍ）、シアン（Ｃ）、黒（ＢＫ）の各色に対応した感光体ドラム１１Ｙ，１１Ｍ，１１Ｃ，１１ＢＫで、所定時間毎に順次行われる。
【００３０】
画像形成部１１は、各感光体ドラム１１Ｙ，１１Ｍ，１１Ｃ，１１ＢＫに形成された静電潜像に、現像装置１１ｅでトナーを付着させることで、各感光体ドラム１１Ｙ，１１Ｍ，１１Ｃ，１１ＢＫに、色分解画像に応じたトナー像が形成される。
【００３１】
画像形成部１１は、感光体ドラム１１Ｙ，１１Ｍ，１１Ｃ，１１ＢＫと中間転写ベルト１１ｂの回転を連動させることで、各感光体ドラム１１Ｙ，１１Ｍ，１１Ｃ，１１ＢＫに形成された色分解画像に応じたトナー像が重ね合わされて、中間転写ベルト１１ｂに一次転写される。
【００３２】
そして、画像形成部１１は、中間転写ベルト１１ｂの回転と、搬送部１６で搬送される用紙Ｐの搬送を連動させることで、中間転写ベルト１１ｂに一次転写されたトナー像が、搬送部１６で搬送される用紙Ｐに二次転写される。
【００３３】
給紙部１５は給紙手段の一例で、複数枚の用紙Ｐが積載されて載置される複数の用紙トレイ１５ａが、装置本体１０に対して引き出し可能な構成で、本例では上下方向に並べて設けられる。給紙部１５は、用紙トレイ１５ａから用紙Ｐを繰り出す分離繰り出し機構１５ｂが、各用紙トレイ１５ａに対応して設けられる。
【００３４】
搬送部１６は搬送手段の一例で、画像形成部１１でトナー像が転写される用紙Ｐが搬送される用紙搬送路１６ａと、用紙Ｐの表裏を反転させる搬送経路を構成する反転搬送路１６ｂを備える。
【００３５】
定着部１２は定着手段の一例で、画像形成部１１に対して用紙Ｐの通紙方向Ｆの下流側の用紙搬送路１６ａに設けられ、一対の対向する定着ローラ１２ａを備える。
【００３６】
空気吹出部１３は分離手段及び光沢制御手段の一例で、定着部１２を通過する用紙Ｐに対して、通紙方向Ｆの下流側から空気Ａを吹き付けられる位置に設けられ、定着ローラ１２ａを通過する用紙Ｐに向けて空気Ａが吹き出される図示しないノズルと、ファンモータに回転駆動される羽根車及びファンケース等で構成される図示しないファンを備える。
【００３７】
空気吹出部１３は、通紙方向Ｆと直交する用紙Ｐの幅方向の全体に空気Ａが吹き付けられるように、用紙Ｐの幅方向の長さに合わせて、図示しない複数のノズルを並列して設ける構成、あるいは、用紙Ｐの幅方向の長さに合わせた開口を有するノズルを設けて構成される。
【００３８】
ラインセンサ１４は読取手段の一例で、定着部１２に対して用紙Ｐの通紙方向の下流側の用紙搬送路１６ａに設けられ、空気吹出部１３で空気Ａが吹き付けられ、定着ローラ１２ａから分離された用紙Ｐの画像を読み取る。
【００３９】
図３は、本実施の形態の画像形成装置の制御機能の一例を示す機能ブロック図である。ここで、図３では、頁内での光沢を均一にする光沢調整動作に関連する制御機能について説明する。
【００４０】
画像形成装置１Ａは、用紙Ｐを給紙し、画像を形成して排紙する制御部１００を備える。制御部１００は制御手段の一例で、ＣＰＵ、ＭＰＵと称されるマイクロプロセッサと、記憶手段としてＲＡＭ、ＲＯＭ等のメモリを備える。
【００４１】
画像形成装置１Ａで用紙Ｐに画像を形成する通常の動作ついて説明すると、制御部１００は、給紙部１５及び搬送部１６を制御して用紙Ｐを搬送する。また、制御部１００は、画像読取部１７、自動原稿搬送装置１８を備える構成では自動原稿搬送装置１８を制御して原稿を読み取り、画像データを取得する。
【００４２】
制御部１００は、原稿から取得した画像データ、あるいは、外部から取得した画像データに基づき画像形成部１１を制御して、用紙Ｐに画像を形成する。また、制御部１００は、定着部１２を制御して画像を用紙Ｐに定着させ、空気吹出部１３を制御して定着部１２を通過する用紙Ｐに空気Ａを吹き付けて、定着ローラ１２ａから用紙Ｐを分離させる。そして、画像が形成された用紙Ｐを排紙する。
【００４３】
制御部１００は、定着ローラ１２ａから用紙Ｐを分離するため、定着部１２を通過する画像定着後の用紙Ｐに吹き付けられる空気Ａの風量、温度等を制御することで、画像の光沢を調整する光沢調整プログラムが組み込まれる。
【００４４】
制御部１００は、画像の光沢を調整する光沢調整プログラムでは、１枚の用紙Ｐ内での光沢の分布を測定するため、例えば、頁内での光沢が均一となるような光沢測定画像として所定のテストチャートを用紙Ｐに印刷する。制御部１００は、用紙Ｐに形成されたテストチャートをラインセンサ１４で読み取り、空気Ａが吹き付けられた後の用紙Ｐにおける頁内での光沢の分布を測定する。
【００４５】
制御部１００は、頁内での光沢の分布に応じた光沢度検出情報と、空気吹出部１３から吹き出される空気Ａの風量と温度のいずれか、または、空気Ａの風量と温度を対応させた設定情報として、光沢分布−風量・温度テーブルが予め設定される。
【００４６】
図４は、風量・温度と光沢の特性を示す説明図、図５は、光沢分布−風量・温度テーブルの一例を示す説明図である。空気吹出部１３から吹き出される空気Ａの風量と、用紙Ｐに形成される画像の光沢の関係は、図４（ａ）に示すように、空気吹出部１３から吹き出される空気Ａの風量が小さいと、用紙Ｐに形成される画像の光沢が高くなり、空気吹出部１３から吹き出される空気Ａの風量が大きいと、用紙Ｐに形成される画像の光沢が低くなる。
【００４７】
このため、空気吹出部１３から吹き出される空気Ａの風量が、光沢度検出情報に応じて設定される光沢分布−風量・温度テーブルＴＢ１では、図５（ａ）に示すように、光沢度検出情報で特定される光沢が低いと、空気吹出部１３から吹き出される空気Ａの風量を少なくするよう設定され、光沢度検出情報で特定される光沢が高いと、空気吹出部１３から吹き出される空気Ａの風量を上げるように設定される。
【００４８】
なお、空気吹出部１３から吹き出される空気Ａで、用紙Ｐを定着部１２から分離できるようにする必要があるので、用紙Ｐを定着部１２から分離できる分離可能風量Ｈが予め設定され、分離可能風量Ｈ内で、光沢を調整できる風量が設定される
【００４９】
一方、空気吹出部１３から吹き出される空気Ａの温度と、用紙Ｐに形成される画像の光沢の関係は、図４（ｂ）に示すように、空気吹出部１３から吹き出される空気Ａの温度が低いと、用紙Ｐに形成される画像の光沢が低くなり、空気吹出部１３から吹き出される空気Ａの温度が高いと、用紙Ｐに形成される画像の光沢が高くなる。
【００５０】
このため、空気吹出部１３から吹き出される空気Ａの温度が、光沢度検出情報に応じて設定される光沢分布−風量・温度テーブルＴＢ２では、図５（ｂ）に示すように、光沢度検出情報で特定される光沢が低いと、空気吹出部１３から吹き出される空気Ａの温度を高くするよう設定され、光沢度検出情報で特定される光沢が高いと、空気吹出部１３から吹き出される空気Ａの温度を低くするように設定される。
【００５１】
制御部１００は、空気Ａが吹き付けられた後の用紙Ｐにおける画像の光沢が頁内で均一になるように、テストチャートを読み取ることで取得した光沢度検出情報と、光沢分布−風量・温度テーブルＴＢ１あるいは光沢分布−風量・温度テーブルＴＢ２に基づき、空気吹出部１３から吹き出される空気Ａの風量と温度のいずれかを制御する。あるいは、光沢分布−風量・温度テーブルＴＢ１と光沢分布−風量・温度テーブルＴＢ２に基づき、空気吹出部１３から吹き出される空気Ａの風量と温度を制御する。
【００５２】
ここで、画像形成装置１Ａでは、用紙Ｐの通紙方向Ｆに光沢のムラが生じる場合と、通紙方向Ｆに直交した軸方向に光沢のムラが生じる場合が考えられる。そこで、画像の光沢を調整するプログラムでは、通紙方向Ｆに沿ったテストチャートと、軸方向に沿ったテストチャートを選択して印刷できるようにしても良い。
【００５３】
＜本実施の形態の画像形成装置の動作例＞
次に、各図を参照して、本実施の形態の画像形成装置１Ａにおける光沢調整動作について説明する。
【００５４】
図６は、本実施の形態の画像形成装置における光沢調整動作の一例を示すフローチャートである。また、図７は、図６に示すフローチャートで実行される光沢調整動作の第１例を示す動作図、図８は、光沢調整動作の第１例での光沢度検出情報の一例を示す説明図、図９は、光沢調整動作の第１例での風量制御の一例を示す説明図である。
【００５５】
画像形成装置１Ａでは、頁内での画像の光沢を調整する光沢調整プログラムによって、光沢調整動作が実行される。画像形成装置１Ａでは、保守作業者等が用紙Ｐに形成された画像を見て、光沢にムラがあると判断すると、所定の操作で光沢調整プログラムが選択されて、光沢調整動作が実行される。本例では、光沢のムラが発生する方向に応じたテストチャートが光沢調整プログラムで保守作業者等により選択されて、光沢調整動作が実行される。
【００５６】
以下、光沢調整動作の第１例では、通紙方向Ｆに光沢のムラがある場合について説明する。制御部１００は、光沢調整プログラムが選択されると、１枚の用紙Ｐ内での光沢の分布を測定するため、図６のステップＳＡ１で、頁内での光沢が均一となるような所定のテストチャートを、画像形成部１１を制御して用紙Ｐに印刷する。光沢調整動作の第１例では、通紙方向Ｆに光沢のムラがあると判断されることで、図７に示すような通紙方向Ｆに沿ったテストチャートＴＣ１を印刷して、光沢調整動作が実行される。
【００５７】
制御部１００は、用紙Ｐに形成されたテストチャートＴＣ１を、定着部１２を制御して定着させ、空気吹出部１３を制御して定着部１２を通過する用紙Ｐに空気Ａを吹き付けて、定着ローラ１２ａから用紙Ｐを分離させる。そして、制御部１００は、図６のステップＳＡ２で、用紙Ｐに形成されたテストチャートＴＣ１をラインセンサ１４で読み取り、空気Ａが吹き付けられた後の用紙Ｐにおける頁内での光沢の分布を測定する。
【００５８】
制御部１００は、テストチャートＴＣ１をラインセンサ１４で読み取ることで、例えば、図８に示すような光沢度検出情報ＴＤ１を取得する。図８に示す光沢度検出情報ＴＤ１では、通紙方向Ｆに沿った前方に対して、後方で光沢が低くなっている例を示す。
【００５９】
制御部１００は、図６のステップＳＡ３で、光沢度検出情報ＴＤ１で特定される頁内での光沢の分布に基づき、空気吹出部１３から吹き出される空気Ａの風量の調整の有無を判断する。制御部１００は、図６のステップＳＡ４で、光沢度検出情報ＴＤ１で特定される頁内での光沢の分布が、予め決められた範囲で一定であると判断すると、ステップＳＡ５で、空気吹出部１３から吹き出される空気Ａの風量を、テストチャート形成時と同じ風量に設定する。
【００６０】
これに対し、制御部１００は、光沢度検出情報ＴＤ１で特定される頁内での光沢の分布が、予め決められた範囲を超えると判断すると、空気Ａが吹き付けられた後の用紙Ｐにおける画像が頁内で均一になるように、光沢度検出情報ＴＤ１と、光沢分布−風量・温度テーブルＴＢ１に基づき、空気吹出部１３から吹き出される空気Ａの風量を制御する。
【００６１】
例えば、テストチャートＴＣ１を形成した動作での風量が、通紙方向Ｆに沿って一定であった場合、光沢度検出情報ＴＤ１で特定される頁内での光沢の分布が、予め決められた範囲で一定であると判断すると、風量は一定に設定される。
【００６２】
これに対し、光沢度検出情報ＴＤ１で特定される頁内での光沢が、図８に示すような分布である場合、図５（ａ）に示す光沢分布−風量・温度テーブルＴＢ１に基づき、図９に示すように、通紙方向Ｆに沿った前方に対して、後方での風量を定着部１２から用紙Ｐが分離可能な範囲で下げて、光沢が下がらないようにする。
【００６３】
用紙Ｐが、空気吹出部１３から吹き出される空気Ａが当たる位置を通過する際には、用紙Ｐの長さに応じた所定の時間が必要である。このため、空気吹出部１３から吹き出される空気Ａが当たる位置を、１枚の用紙Ｐが通過する間に、空気吹出部１３から吹き出される空気Ａの風量等が変動すると、通紙方向Ｆに沿って光沢にムラが生じる可能性がある。
【００６４】
そこで、光沢調整動作の第１例では、図７に示すような通紙方向Ｆに沿ったテストチャートＴＣ１を印刷して、光沢調整動作が実行されることで、空気吹出部１３から吹き出される空気Ａが時間の経過で変動するような場合であっても、通紙方向Ｆに沿って発生する光沢のムラを抑制することができる。
【００６５】
図１０は、図６に示すフローチャートで実行される光沢調整動作の第２例を示す動作図、図１１は、光沢調整動作の第２例での光沢度検出情報の一例を示す説明図、図１２は、光沢調整動作の第２例での風量制御の一例を示す説明図である。
【００６６】
光沢調整動作の第２例では、通紙方向Ｆに直交する方向である軸方向に光沢のムラがある場合について説明する。制御部１００は、光沢調整プログラムが選択されると、図６のステップＳＡ１で、光沢調整動作の第２例では、軸方向に光沢のムラがあると判断されることで、図１０に示すような軸方向に沿ったテストチャートＴＣ２を、画像形成部１１を制御して用紙Ｐに印刷する。
【００６７】
制御部１００は、用紙Ｐに形成されたテストチャートＴＣ２を、定着部１２を制御して定着させ、空気吹出部１３を制御して定着部１２を通過する用紙Ｐに空気Ａを吹き付けて、定着ローラ１２ａから用紙Ｐを分離させる。そして、制御部１００は、図６のステップＳＡ２で、用紙Ｐに形成されたテストチャートＴＣ２をラインセンサ１４で読み取り、空気Ａが吹き付けられた後の用紙Ｐにおける頁内での光沢の分布を測定する。
【００６８】
制御部１００は、テストチャートＴＣ２をラインセンサ１４で読み取ることで、例えば、図１１に示すような光沢度検出情報ＴＤ２を取得する。図１１に示す光沢度検出情報ＴＤ２では、通紙方向Ｆに直交する左端側に対して、右端側で光沢が低くなっている例を示す。
【００６９】
制御部１００は、図６のステップＳＡ３で、光沢度検出情報ＴＤ２で特定される頁内での光沢の分布に基づき、空気吹出部１３から吹き出される空気Ａの風量の調整の有無を判断する。制御部１００は、図６のステップＳＡ４で、光沢度検出情報ＴＤ２で特定される頁内での光沢の分布が、予め決められた範囲で一定であると判断すると、ステップＳＡ５で、空気吹出部１３から吹き出される空気Ａの風量を、テストチャート形成時と同じ風量に設定する。
【００７０】
これに対し、制御部１００は、光沢度検出情報ＴＤ２で特定される頁内での光沢の分布が、予め決められた範囲を超えると判断すると、空気Ａが吹き付けられた後の用紙Ｐにおける画像が頁内で均一になるように、光沢度検出情報ＴＤ２と、光沢分布−風量・温度テーブルＴＢ１に基づき、空気吹出部１３から吹き出される空気Ａの風量を制御する。
【００７１】
例えば、テストチャートＴＣ２を形成した動作での風量が、軸方向に沿って一定であった場合、光沢度検出情報ＴＤ２で特定される頁内での光沢の分布が、予め決められた範囲で一定であると判断すると、風量は一定に設定される。
【００７２】
これに対し、光沢度検出情報ＴＤ２で特定される頁内での光沢が、図１１に示すような分布である場合、図５（ａ）に示す光沢分布−風量・温度テーブルＴＢ１に基づき、図１２に示すように、通紙方向Ｆに直交する左端側に対して、右端側での風量を定着部１２から用紙Ｐが分離可能な範囲で下げて、光沢が下がらないようにする。
【００７３】
画像形成装置１Ａで使用可能とする用紙Ｐのサイズは複数種あり、空気吹出部１３は、使用可能な用紙Ｐの中で、最大幅に合わせて複数のノズルを並列して設ける構成、あるいは、最大幅に合わせた開口を有するノズルを設ける構成である。このため、空気吹出部１３から空気Ａが吹き出される位置により、風量等が変動すると、用紙Ｐの軸方向に沿って光沢にムラが生じる可能性がある。
【００７４】
そこで、光沢調整動作の第２例では、図１０に示すような軸方向に沿ったテストチャートＴＣ２を印刷して、光沢調整動作が実行されることで、空気吹出部１３から空気Ａが吹き出される位置により風量等が変動するような場合であっても、軸方向に沿って発生する光沢のムラを抑制することができる。
【００７５】
ここで、光沢調整動作の第１例と第２例の両方を行うことで、用紙Ｐの通紙方向Ｆに沿った光沢ムラと、軸方向に沿った光沢ムラの両方を抑制することができる。また、光沢測定画像として、用紙Ｐの全面にテストチャートを形成して、通紙方向Ｆと軸方向の両方の光沢の分布を測定しても良い。更に、光沢調整動作として、所定のテストチャートを形成して行うこととしたが、通常の画像形成時に形成された画像を読み取って光沢度情報を取得し、測定結果に応じて光沢調整動作を実行しても良い。
【００７６】
なお、上述した光沢調整動作の第１例及び第２例では、光沢のムラが発生する方向に応じた光沢度検出情報ＴＤ１あるいは光沢度検出情報ＴＤ２と、図５（ａ）に示す光沢分布−風量・温度テーブルＴＢ１に基づき、空気吹出部１３から吹き出される空気Ａの風量を設定することとしたが、光沢度検出情報ＴＤ１あるいは光沢度検出情報ＴＤ２と、図５（ｂ）に示す光沢分布−風量・温度テーブルＴＢ２に基づき、空気吹出部１３から吹き出される空気Ａの温度を設定することとしてもよい。
【００７７】
例えば、光沢度検出情報ＴＤ１あるいは光沢度検出情報ＴＤ２で特定される光沢が低いと、光沢分布−風量・温度テーブルＴＢ２に基づき、空気吹出部１３から吹き出される空気Ａの温度が高く設定され、光沢度検出情報ＴＤ１あるいは光沢度検出情報ＴＤ２で特定される光沢が高いと、空気吹出部１３から吹き出される空気Ａの温度が低く設定される。
【００７８】
また、光沢度検出情報ＴＤ１あるいは光沢度検出情報ＴＤ２と、図５（ａ）に示す光沢分布−風量・温度テーブルＴＢ１と、図５（ｂ）に示す光沢分布−風量・温度テーブルＴＢ２に基づき、空気吹出部１３から吹き出される空気Ａの風量と温度の両方を設定することとしてもよい。
【００７９】
更に、風量あるいは温度と光沢の特性は、用紙の種類や厚さ、坪量等の用紙の種別や、画像形成装置１Ａが設置される場所の温度、湿度等の環境によって変化するので、用紙の種別、周囲温度等の環境に応じて、複数の光沢分布−風量・温度テーブルが予め設定され、選択された用紙の種別等に応じて光沢分布−風量・温度テーブルが選択される。
【００８０】
図１３は、光沢分布−風量・温度テーブルの変形例を示す説明図で、図１３（ａ）では、普通紙、コート紙等、用紙の種類毎に光沢分布−風量・温度テーブルが設定された例を示す。また、図１３（ｂ）では、用紙の坪量毎に光沢分布−風量・温度テーブルが設定された例を示す。更に、図１３（ｃ）では、画像形成装置１Ａの設置場所の環境毎に光沢分布−風量・温度テーブルが設定された例を示す。
【００８１】
＜本実施の形態の画像形成装置の変形例＞
図１４は、本実施の形態の画像形成装置の変形例を示す要部構成図で、図１４（ａ）は、変形例の画像形成装置の要部構成を示す平面図、図１４（ｂ）は、変形例の画像形成装置の要部構成を示す側面図ある。
【００８２】
変形例の画像形成装置１Ｂでは、定着部１２に対して用紙Ｐの通紙方向Ｆの下流側の用紙搬送路１６ａにサーマルヘッド１９を備える。サーマルヘッド１９は光沢制御手段の一例で、対向するローラ２０との間を搬送される用紙Ｐに熱を加える。
【００８３】
画像形成装置１Ｂでは、定着部１２の定着ローラ１２ａを通過した用紙Ｐの画像形成面に、サーマルヘッド１９で加えられる熱の温度が制御されることで、用紙Ｐに形成された画像の光沢が調整される。サーマルヘッド１９の温度を、用紙Ｐに形成された画像の光沢に応じて制御できるようにするため、用紙Ｐに形成されたテストチャートをラインセンサ１４で読み取ることで取得される頁内での光沢の分布に応じた光沢度検出情報と、サーマルヘッド１９で用紙Ｐに加えられる熱の温度を対応させた光沢分布−風量・温度テーブルが予め設定される。
【００８４】
画像形成装置１Ｂでの光沢調整動作は、頁内での光沢が均一となるような所定のテストチャートが用紙Ｐに印刷される。用紙Ｐに形成されたテストチャートがラインセンサ１４で読み取られ、頁内での光沢の分布に応じた光沢度検出情報が取得される。
【００８５】
そして、画像の光沢が頁内で均一になるように、テストチャートを読み取ることで取得した光沢度検出情報と、予め設定された光沢分布−風量・温度テーブルに基づき、サーマルヘッド１９で用紙Ｐに加えられる熱の温度が制御される。
【００８６】
これにより、空気吹出部１３から吹き出され、定着部１２を通過する用紙Ｐに吹き付けられて用紙Ｐを定着部１２から分離する空気の風量あるいは温度の変動等によって発生する可能性ある光沢のムラを抑制することができる。
【産業上の利用可能性】
【００８７】
本発明は、用紙に形成された画像を定着させる定着部から、空気を吹き付けて用紙を分離する画像形成装置に適用される。
【符号の説明】
【００８８】
１Ａ，１Ｂ・・・画像形成装置、１１・・・画像形成部、１２・・・定着部、１３・・・空気吹出部、１４・・・ラインセンサ、１００・・・制御部
【図１】
2015060098.tif 000003
【図２】
2015060098.tif 000004
【図３】
2015060098.tif 000005
【図４】
2015060098.tif 000006
【図５】
2015060098.tif 000007
【図６】
2015060098.tif 000008
【図７】
2015060098.tif 000009
【図８】
2015060098.tif 000010
【図９】
2015060098.tif 000011
【図１０】
2015060098.tif 000012
【図１１】
2015060098.tif 000013
【図１２】
2015060098.tif 000014
【図１３】
2015060098.tif 000015
【図１４】
2015060098.tif 000016